(57)【要約】【課題】スッキリした内観で、コスト安であると共に、既設枠の見込み寸法が異なっても同一見込み寸法の上・縦塞ぎ部材を用いることができる改装サッシとする。【解決手段】既設枠３内に新設枠１０を、既設上枠４の室内側部４ａと新設上枠２０の室内側部２０ａとの間及び、既設縦枠６の室内側部６ａと新設縦枠４０の室内側部４０ａとの間に、設定した大きさの隙間を形成して取付け、前記室内側部４ａ，２０ａ間に上塞ぎ部材５０を取付けて隙間を塞ぐと共に、前記室内側部６ａ，４０ａ間に縦塞ぎ部材７０を取付けて隙間を塞ぎ、前記上塞ぎ部材５０、縦塞ぎ部材７０を既設上枠４、既設縦枠６の室内側取付片４ｂ，６ｂより室外側寄りとして各室内側取付片４ｂ、６ｂを露出させる。【選択図】図１
2010174560.tif 000002
【特許請求の範囲】
【請求項１】
建物躯体の開口部に残存した既設枠内に、新設上枠と新設下枠と左右の新設縦枠を枠組みした新設枠を取付け、この新設枠に障子を装着した改装サッシであって、
前記既設枠は、室内側部よりも室内側に突出した室内側取付片を有した既設上枠、既設下枠、既設縦枠を備え、
前記新設上枠は、その室内側部と既設上枠の室内側部との間に設定の大きさの隙間を有し、室外側部が既設上枠の室外側部よりも室外側に突出し、
前記新設上枠の室内側部と既設上枠の室内側部とに亘って上塞ぎ部材を、前記隙間を塞ぐと共に、前記室内側取付片が露出するように取付け、
前記新設縦枠は、その室内側部と既設縦枠の室内側部との間に設定の大きさの隙間を有し、室外側部が既設縦枠の室外側部よりも室外側に突出し、
前記新設縦枠の室内側部と既設縦枠の室内側部とに亘って縦塞ぎ部材を、前記隙間を塞ぐと共に、前記室内側取付片が露出するように取付けたことを特徴とする改装サッシ。
【請求項２】
前記既設上枠の室内側部と上塞ぎ部材との間を上横水密材で水密し、
前記既設縦枠の室内側部と縦塞ぎ部材との間を縦水密材で水密した請求項１記載の改装サッシ。
【請求項３】
前記既設上枠は、その室内側部が室内側縦板で、この室内側縦板に室内側取付片を有し、
前記上塞ぎ部材は、取付部と立上り部を有し、その取付部を新設上枠の被取付部に取付けることで、立上り部が前記隙間に挿入して、その立上り部に装着した上横水密材が前記室内側縦板の室外側面に接し、
前記既設縦枠は、その室内側部が室内側内向板で、この室内側内向板に室内側取付片を有し、
前記縦塞ぎ部材は、取付部と外側に向かう横向き部を有し、その取付部を新設縦枠の被取付部に取付けることで、横向き部が前記隙間に挿入して、その横向き部に装着した縦水密材が前記室内側内向板の室外側面に接するようにした請求項２記載の改装サッシ。
【請求項４】
前記既設上枠は、その室内側部が室内側縦板で、この室内側縦板に室内側取付片を有し、
前記上塞ぎ部材は、取付部と下向き部で鉤形状とし、
前記取付部を新設上枠に取付けることで、前記下向き部が前記室内側縦板と見込み方向に略同一位置で、かつ下向き部が障子と対向するようにし、
前記取付部と室内側縦板との間を上横水密材で水密し、
前記既設縦枠は、その室内側部が室内側内向板で、この室内側内向板に室内側取付片を有し、
前記縦塞ぎ材は、取付部と内向き部で鉤形状とし、
前記取付部を新設縦枠に取付けることで、前記内向き部が前記室内側縦板と見込み方向に略同一位置で、かつ内向き部が障子と対向するようにし、
前記縦塞ぎ部材の取付部と前記室内側内向板との間を縦水密材で水密した請求項２記載の改装サッシ。
【請求項５】
前記上横水密材を上塞ぎ部材の取付部に装着し、
前記縦水密材を縦塞ぎ部材の取付部に装着した請求項４記載の改装サッシ。
【請求項６】
前記上塞ぎ部材の取付部と既設上枠の室内側縦板の内端面との間に隙間を形成し、この隙間に前記上横水密材を押し込んで取付け、
前記縦塞ぎ部材の取付部と既設縦枠の室内側内向板の内端面との間に隙間を形成し、この隙間に前記縦水密材を押し込んで取付けた請求項４記載の改装サッシ。
【請求項７】
前記新設上枠の外面に、上横シール材を装着する凹条溝を形成すると共に、前記外面における前記凹条溝よりも室外側に上横シール材を装着した上横アタッチメントを着脱自在に取付け、
前記上横シール材を既設上枠の室外側部に接して水密し、
前記新設縦枠の外面に、縦シール材を装着する凹条溝を形成すると共に、前記新設縦枠の外面における前記凹条溝よりも室外側に縦シール材を装着した縦アタッチメントを着脱自在に取付け、
前記縦シール材を既設縦枠の室外側部に接して水密するようにした請求項１〜６いずれか１項に記載の改装サッシ。
【発明の詳細な説明】
【技術分野】
【０００１】
本発明は、建物躯体の開口部に取付けてある既設サッシを新設サッシに改装した改装サッシに関する。
【背景技術】
【０００２】
従来、改装サッシとしては、例えば、特許文献１に開示されたものが知られている。
この改装サッシは、既設サッシの既設枠を建物躯体の開口部に残存させ、その既設枠内に新設サッシの新設枠を取付け、この新設枠の新設上枠、新設下枠、新設縦枠の室内側部と既設枠の既設上枠、既設下枠、既設縦枠の室内側部とに亘って上・下・縦塞ぎ部材（額縁）を取付け、前記各新設枠の室内側部と各既設枠の室内側部との間の隙間を各塞ぎ部材で塞いで見栄えを良くし、前記新設枠に障子を装着して改装サッシとしている。
【特許文献１】特開２００７−１３８５６０号公報
【発明の開示】
【発明が解決しようとする課題】
【０００３】
前述した従来の改装サッシの既設上枠、既設下枠、既設縦枠は、それぞれ室内側取付片を有し、その各室内側取付片を建物躯体の開口部の内面にビスで固着して取付けている。
そして、前記上・縦塞ぎ部材は前述の既設上枠、既設縦枠の室内側取付片よりも室内側寄りに位置し、各室内側取付片を覆っているので、室内から見たときに上・縦塞ぎ部材が著しく目立ち、圧迫感のある内観である。
しかも、前記上・縦塞ぎ部材の見込み寸法（室内外側方向の寸法）は、前述の室内側取付片の見込み寸法と、既設上枠、既設縦枠の室内側部と新設上枠、新設縦枠の室内側部との間の隙間の和となるので、その上・縦塞ぎ部材の見込み寸法が大きく、材料が増えコスト高である。
【０００４】
また、前述した従来の改装サッシであると、既設枠（既設上枠、既設下枠、既設縦枠）の見込み寸法が異なると、その既設枠の室内側部と新設枠（新設上枠、新設下枠、新設縦枠）の室内側部との間の隙間の大きさが異なるので上・下・縦塞ぎ部材の見込み寸法が異なる。
このために、見込み寸法の異なる既設枠を用いて改装サッシとするには、見込み寸法の異なる複数の上・下・縦塞ぎ部材を準備しなければならない。
【０００５】
本発明の目的は、室内から見た時に上・縦塞ぎ部材が目立つことがなく、スッキリした内観であると共に、コスト安であり、しかも既設枠の見込み寸法が異なっても同一見込み寸法の上塞ぎ部材、縦塞ぎ部材を用いることができるようにした改装サッシとすることである。
【課題を解決するための手段】
【０００６】
本発明は、建物躯体の開口部に残存した既設枠内に、新設上枠と新設下枠と左右の新設縦枠を枠組みした新設枠を取付け、この新設枠に障子を装着した改装サッシであって、
前記既設枠は、室内側部よりも室内側に突出した室内側取付片を有した既設上枠、既設下枠、既設縦枠を備え、
前記新設上枠は、その室内側部と既設上枠の室内側部との間に設定の大きさの隙間を有し、室外側部が既設上枠の室外側部よりも室外側に突出し、
前記新設上枠の室内側部と既設上枠の室内側部とに亘って上塞ぎ部材を、前記隙間を塞ぐと共に、前記室内側取付片が露出するように取付け、
前記新設縦枠は、その室内側部と既設縦枠の室内側部との間に設定の大きさの隙間を有し、室外側部が既設縦枠の室外側部よりも室外側に突出し、
前記新設縦枠の室内側部と既設縦枠の室内側部とに亘って縦塞ぎ部材を、前記隙間を塞ぐと共に、前記室内側取付片が露出するように取付けたことを特徴とする改装サッシである。
【０００７】
本発明においては、前記既設上枠の室内側部と上塞ぎ部材との間を上横水密材で水密し、
前記既設縦枠の室内側部と縦塞ぎ部材との間を縦水密材で水密することができる。
このようにすれば、既設上枠と新設上枠との間に浸入した雨水等が上塞ぎ部材と既設上枠の室内側部との間から室内側に浸入することがない。
また、既設縦枠と新設縦枠との間に浸入した雨水等が縦塞ぎ部材と既設縦枠の室内側部との間から室内側に浸入することがない。
【０００８】
本発明においては、前記既設上枠は、その室内側部が室内側縦板で、この室内側縦板に室内側取付片を有し、
前記上塞ぎ部材は、取付部と立上り部を有し、その取付部を新設上枠の被取付部に取付けることで、立上り部が前記隙間に挿入して、その立上り部に装着した上横水密材が前記室内側縦板の室外側面に接し、
前記既設縦枠は、その室内側部が室内側内向板で、この室内側内向板に室内側取付片を有し、
前記縦塞ぎ部材は、取付部と外側に向かう横向き部を有し、その取付部を新設縦枠の被取付部に取付けることで、横向き部が前記隙間に挿入して、その横向き部に装着した縦水密材が前記室内側内向板の室外側面に接するようにできる。
このようにすれば、上塞ぎ部材の立上り部の上横水密材を装着した部分が既設上枠の室内側縦板で覆われて室内から見えないと共に、その立上り部は室内側縦板よりも室外側に位置するから、上塞ぎ部材が目立つことがない。
また、縦塞ぎ部材の横向き部の縦水密材を装着した部分が既設縦枠の室内側縦板で覆われて室内から見えないと共に、その横向き部は室内側縦板よりも室外側に位置するから、縦塞ぎ部材が目立つことがない。
したがって、より一層スッキリとした内観となる。
【０００９】
本発明においては、前記既設上枠は、その室内側部が室内側縦板で、この室内側縦板に室内側取付片を有し、
前記上塞ぎ部材は、取付部と下向き部で鉤形状とし、
前記取付部を新設上枠に取付けることで、前記下向き部が前記室内側縦板と見込み方向に略同一位置で、かつ下向き部が障子と対向するようにし、
前記取付部と室内側縦板との間を上横水密材で水密し、
前記既設縦枠は、その室内側部が室内側内向板で、この室内側内向板に室内側取付片を有し、
前記縦塞ぎ材は、取付部と内向き部で鉤形状とし、
前記取付部を新設縦枠に取付けることで、前記内向き部が前記室内側縦板と見込み方向に略同一位置で、かつ内向き部が障子と対向するようにし、
前記縦塞ぎ部材の取付部と前記室内側内向板との間を縦水密材で水密できる。
このようにすれば、上塞ぎ部材が新設上枠の一部分のように見えるし、縦塞ぎ部材が新設縦枠の一部分のように見えるので、著しくスッキリとした内観である。
【００１０】
本発明においては、前記上横水密材を上塞ぎ部材の取付部に装着し、
前記縦水密材を縦塞ぎ部材の取付部に装着することができる。
このようにすれば、上塞ぎ部材、縦塞ぎ部材を取付けることで上・縦塞ぎ部材と室内側縦板、室内側内向板との間を水密することができる。
【００１１】
本発明においては、前記上塞ぎ部材の取付部と既設上枠の室内側縦板の内端面との間に隙間を形成し、この隙間に前記上横水密材を押し込んで取付け、
前記縦塞ぎ部材の取付部と既設縦枠の室内側内向板の内端面との間に隙間を形成し、この隙間に前記縦水密材を押し込んで取付けできる。
このようにすれば、上横水密材、縦水密材を簡単に交換することができる。
【００１２】
本発明においては、前記新設上枠の外面に、上横シール材を装着する凹条溝を形成すると共に、前記外面における前記凹条溝よりも室外側に上横シール材を装着した上横アタッチメントを着脱自在に取付け、
前記上横シール材を既設上枠の室外側部に接して水密し、
前記新設縦枠の外面に、縦シール材を装着する凹条溝を形成すると共に、前記新設縦枠の外面における前記凹条溝よりも室外側に縦シール材を装着した縦アタッチメントを着脱自在に取付け、
前記縦シール材を既設縦枠の室外側部に接して水密するようにできる。
このようにすれば、見込み寸法の小さな既設枠の場合には各アタッチメントを取り外して凹条溝に上横シール材、縦シール材を装着し、各シール材を既設上枠、既設縦枠の室外側部に接して水密できるし、見込み寸法の大きな既設枠の場合には各アタッチメントを取付けて上横シール材、縦シール材を既設上枠、既設縦枠の室外側部に接して水密できる。
したがって、見込み寸法の小さな既設枠と、見込み寸法の大きな既設枠とに対応することができる。
【発明の効果】
【００１３】
本発明によれば、室内から見たときに上塞ぎ部材、縦塞ぎ部材が目立つことがなく、スッキリとした内観である。
また、上塞ぎ部材、縦塞ぎ部材の見込み寸法は小さく、材料が少ないからコスト安である。
また、既設上枠の室内側部と新設上枠の室内側部との間の隙間の大きさ、既設縦枠の室内側部と新設縦枠の室内側部との間の隙間の大きさは、設定した大きさとしてあるので、既設枠の見込み寸法が異なっても同一見込み寸法の上塞ぎ部材、縦塞ぎ部材を用いることができる。
【発明を実施するための最良の形態】
【００１４】
図１と図２に示すように、建物躯体１の開口部２には、既設サッシの既設枠３が取付けてある。つまり、既設サッシを、その既設枠３のみを残存して他の部分を取り外してある。
前記既設枠３は、既設上枠４と既設下枠５と左右の既設縦枠６を備えている。
前記既設上枠４、既設下枠５、左右の既設縦枠６（つまり既設枠３）は、室内側部４ａ，５ａ，６ａよりも室内側に向けて突出した室内側取付片４ｂ，５ｂ，６ｂを有し、その各室内側取付片４ｂ，５ｂ，６ｂが開口部２の上内面２ａ、下内面２ｂ、縦内面２ｃ（つまり、開口部２の内面）に、図示しないビスなどの固着具で固着して取付けてある。
【００１５】
前記既設枠３内には、新設サッシの新設枠１０が取付けてある。
この新設枠１０は、新設上枠２０と新設下枠３０と左右の新設縦枠４０を枠組みしてある。
前記新設枠１０は既設枠３内に、その既設枠３の室内側部を基準として取付けられ、その新設枠１０の室内側部と既設枠３の室内側部との間に設定した大きさの隙間Ｓがあると共に、新設枠１０の室外側部が既設枠３の室外側部よりも室外側に突出して取付けてある。
【００１６】
例えば、前記新設上枠２０、新設下枠３０、新設縦枠４０の室内側部２０ａ，３０ａ，４０ａ（つまり、新設枠１０の室内側部）は、前記既設上枠４、既設下枠５、既設縦枠６の室内側部４ａ，５ａ，６ａ（つまり、既設枠３の室内側部）よりも室外側に、設定距離だけ離隔して位置し、両者の室内側部の間に設定した大きさの隙間Ｓがある。
前記新設上枠２０、新設下枠３０、新設縦枠４０の室外側部２０ｂ，３０ｂ，４０ｂ（つまり、新設枠１０の室外側部）は、前記既設上枠４、既設下枠５、既設縦枠６の室外側部４ｃ，５ｃ，６ｃ（つまり、既設枠３の室外側部）よりも室外側に突出している。
【００１７】
前記新設上枠２０の室内側部２０ａと既設上枠４の室内側部４ａとに亘って上塞ぎ部材５０を取付けて前記隙間Ｓを塞いでいる。
この上塞ぎ部材５０は、既設上枠４の室内側部４ａより室内側に張り出しせずに、既設上枠４の室内側取付片４ｂが露出している。
前記新設下枠３０の室内側部３０ａと既設下枠５の室内側部５ａとに亘って下塞ぎ部材６０を取付けて前記隙間Ｓを塞いでいる。
前記新設縦枠４０の室内側部４０ａと既設縦枠６の室内側部６ａとに亘って縦塞ぎ部材７０を取付けて前記隙間Ｓを塞いでいる。
この縦塞ぎ部材７０は、既設縦枠６の室内側部６ａよりも室内側に張り出しせずに、既設縦枠６の室内側取付片６ｂが露出している。
【００１８】
つまり、新設枠１０の室内側部と既設枠３の室内側部とに亘って上・下・縦塞ぎ部材５０，６０，７０を、前記隙間Ｓを塞いでいると共に、既設上枠４の室内側取付片４ｂ、既設縦枠６の室内側取付片６ｂが露出するように取付けてある。
【００１９】
前記新設枠１０内に障子１１を装着して改装サッシとしてある。
【００２０】
このようであるから、改装サッシを室内から見たときに上塞ぎ部材５０、縦塞ぎ部材７０が目立つことがなく、スッキリとした内観である。
しかも、前記上・縦塞ぎ部材５０，７０は隙間Ｓを閉じることができる見込み寸法であれば良く、その見込み寸法は小さく、材料が少ないからコスト安である。
【００２１】
また、新設枠１０の室内側部と既設枠３の室内側部との間に設定した大きさの隙間Ｓがあると共に、新設枠１０の室外側部が既設枠３の室外側部よりも室外側に突出しているから、見込み寸法が異なる既設枠３に同一見込み寸法の新設枠１０を取付けた場合に、前述の隙間Ｓは同一である。
したがって、既設枠３の見込み寸法が異なっても同一見込み寸法の上・下・縦塞ぎ部材５０，６０，７０を用いることができる。
【００２２】
要するに、既設サッシの既設枠の見込み寸法は、製造メーカによって異なる場合や、既設サッシの種類で異なる場合があり、その見込み寸法の差は数１０ｍｍ程度である。
したがって、新設枠の見込み寸法を前述の見込み寸法の差の最大値を許容する寸法とし、異なる既設枠に新設枠を取付けた場合に、新設枠の室外側部が既設枠の室外側部よりも室外側に突出するようにすることで、前述のように見込み寸法が異なる既設枠に同一見込み寸法の新設枠を取付けできる。
【００２３】
また、既設上枠４の室内側取付片４ｂ、既設縦枠６の室内側取付片６ｂが露出しているので、その室内側取付片４ｂ、６ｂを覆うように樹脂カバーを取付けて室内側取付片４ｂ，６ｂに結露が生じないようにできる。
【００２４】
次に、各部材の詳細を説明する。
前記既設上枠４は、図３に示すように、見込み方向に向かう横板４ｄと室内側縦板４ｅと中間縦板４ｆと室外側縦板４ｇを有し、その室内側縦板４ｅに前記室内側取付片４ｂが設けてある。
前記室内側縦板４ｅが前述の室内側部４ａで、室外側縦板４ｇが前述の室外側部４ｃである。
前記新設上枠２０は、図３に示すように、見込み方向に向かう横長の本体２１と、この本体２１に設けた上レール２２と、前記本体２１の室内側端に設けた下向片２３と、室内側寄り部分に設けた突片２４を有した垂下板２５と、室外側端に設けた室外側垂下板２６などを有し、その本体２１の室内側寄り部分と、下向片２３、突片２４、垂下板２５が塞ぎ部材の被取付部であり、その本体２１の下向片２３が前述の室内側部２０ａであると共に、室外側垂下板２６が前述の室外側部２０ｂである。
前記本体２１の室外側寄りに凹条溝２７が上面に開口して形成され、その凹条溝２７に上横シール材２８が上向きに装着してある。
【００２５】
前記上横シール材２８は取付部２８ａとシール部２８ｂを有し、新設枠１０を既設枠３内に取付けたときに、シール部２８ｂが既設上枠４の室外側部４ｃ（室外側縦板４ｇの室外側面）に接して水密する。
前記既設枠３の見込み寸法が異なる場合には、その上横シール材２８を形状の異なるものに交換したり、シール部２８ｂを室外側に位置するように取付け姿勢を変更して既設上枠４の室外側部４ｃに接するようにする。
【００２６】
前記既設上枠４に図１、図３に示すように、上下地材７が取付けてある。
この上下地材７に新設上枠２０の本体２１がビス２９で固着して取付けてある。
【００２７】
前記上塞ぎ部材５０は図３に示すように、取付部５０ａと立上り部５０ｂを有し、その立上り部５０ｂに上横水密材５１が室内側に向けて装着してある。
前記取付部５０ａが新設上枠２０の被取付部にビス等の固着具５２で取付けることで、立上り部５０ｂが前記隙間Ｓに挿入して立上り部５０ｂの上横水密材５１を装着した部分が既設上枠４の室内側縦板４ｅの下端よりも上方に位置し、その上横水密材５１が既設上枠４の室内側縦板４ｅの室外側面に接する。
【００２８】
このようであるから、上塞ぎ部材５０の立上り部５０ｂの上横水密材５１を装着した部分が既設上枠４の室内側縦板４ｅで覆われて室内から見えないと共に、その立上り部５０ｂは既設上枠４の室内側縦板４ｅよりも室外側に位置するから、上塞ぎ部材５０が目立つことがない。
また、既設上枠４と新設上枠２０との間から浸入した雨水等が室内側に浸入することを上横水密材５１で防止する。
【００２９】
前記上塞ぎ部材５０の取付けを図３に基づいて説明する。
前記上塞ぎ部材５０は、横板５３と縦板５４で鉤形状の本体を有し、その横板５３の室外側端に上向板５５を有すると共に、縦板５４の上下中間には室外側に向かう鉤片５６を有し、それらで取付部５０ａとしてある。この縦板５４の上部に前述の上横水密材５１が装着してあり、その縦板５４が立上り部５０ｂである。
そして、上向板５５が新設上枠２０の垂下板２５に沿って上下方向にスライド可能で、上塞ぎ部材５０の取付部５０ａは新設上枠２０の被取付部に沿って上下方向にスライド可能である。
前述のように、上向板５５を垂下板２５に沿って上方にスライドすることで、上向板５５の端部が突片２４に当接すると共に、鉤片５６が新設上枠２０の下向片２３に係止して上塞ぎ部材５０が上方及び見込み方向（室内外側方向）に動かないように仮取付けできる。
【００３０】
これによって、縦板５４が既設上枠４の室内側縦板４ｅと上下方向に重なり合い、上横水密材５１が室内側縦板４ｅの室外側面に接する。
この状態で、横板５３をビスなどの固着具５２で新設上枠２０の本体２１の室内側部分に固着して取付ける。
【００３１】
このようであるから、既設枠３内に新設枠１０を取付けた後に、上塞ぎ部材５０を室内側から簡単に取付けできる。
【００３２】
前記既設下枠５は、図４に示すように、横板５ｄと縦板５ｅでほぼ鉤形状で、その縦板５ｅに前述の室内側取付片５ｂが設けてあり、その縦板５ｅが前述の室内側部５ａである。
前記横板５ｄの室外側端部が前述の室外側部５ｃである。
前記横板５ｄにレール５ｆが設けてある。
前記新設下枠３０は、見込み方向に向かう本体３１と、この本体３１に設けたレール３２を有し、その本体３１の室内側端が前記室内側部３０ａで、室外側端が前記室外側部３０ｂである。
前記本体３１が下下地材８にビスなどの固着具３３で固着して取付けてある。
【００３３】
前記下下地材８は、図４に示すように、横板８ａと室内側縦板８ｂと室外側縦板８ｃで下向きコ字形状で、その横板８ａに鉤片８ｄが設けてある。
前記室外側縦板８ｃが前記既設下枠５のレール５ｆにビスなどの固着具３４で固着され、室内側縦板８ｂが既設下枠５の横板５ｄにライナー３５を介して接している。
前記新設下枠３０の本体３１の室内側端が下下地材８の鉤片８ｄに当接して見込み方向に位置決めされる。
【００３４】
前記下塞ぎ部材６０は、図４に示すように、見込み方向の中間の下部に下横水密材６１が下向きに装着され、この下横水密材６１が既設下枠５の室内側部５ａ（縦板５ｅの上端部）に接するように、下下地材８の鉤片８ｄにビス等の固着具６２で固着して取付けてある。
【００３５】
前記既設縦枠６は、図５に示すように、見込み方向に向かう縦板６ｄに室内側内向板６ｅ、中間内向板６ｆ、室外側内向板６ｇを設けた断面形状で、その室内側内向板６ｅに前述の室内側取付片６ｂが設けてある。
前記室内側内向板６ｅが前述の室内側部６ａで、室外側内向板６ｇが前述の室外側部６ｃである。
前記新設縦枠４０は、図５に示すように、見込み方向に向かう本体４１を有し、この本体４１の室内側寄りに突片４２を有した内向板４３が設けてあると共に、本体４１の室内側端に内向片４４が設けてあり、これらが縦塞ぎ部材７０の被取付部である。
前記本体４１の内向片４４が前述の室内側部４０ａで、室外側端が室外側部４０ｂである。
前記既設縦枠６に縦下地材９が図２、図５に示すように取付けてある。
この縦下地材９に新設縦枠４０の本体４１がビスなどの固着具４５で固着して取付けてある。
【００３６】
前記既設縦枠４０の外面における室外側寄りには外側に開口した凹条溝４６が形成され、この凹条溝４６に縦シール材４７の取付部４７ａが装着してあり、そのシール部４７ｂが既設縦枠６の室外側部６ｃ（室外側内向板６ｇの内端面）に接して水密している。
【００３７】
前記縦塞ぎ部材７０は図５に示すように、取付部７０ａと外向きの横向き部７０ｂを有し、その横向き部７０ｂに縦水密材７１が室内側に向けて装着してある。
前記取付部７０ａが新設縦枠４０の被取付部にビス等の固着具７２で取付けることで、横向き部７０ｂが前記隙間Ｓに挿入して横向き部７０ｂの縦水密材７１を装着した部分が既設縦枠６の室内側縦板６ｅの内端よりも外方に位置し、その縦水密材７１が既設縦枠６の室内側内向板６ｅの室外側面に接する。
【００３８】
このようであるから、縦塞ぎ部材７０の横向き部７０ｂの縦水密材７１を装着した部分が既設縦枠６の室内側内向板６ｅで覆われて室内から見えないと共に、その横向き部７０ｂは既設縦枠６の室内側内向板６ｅよりも室外側に位置するから、縦塞ぎ部材７０が目立つことがない。
また、既設縦枠６と新設縦枠４０との間から浸入した雨水等が室内側に浸入することを縦水密材７１で防止できる。
【００３９】
前記縦塞ぎ部材７０の取付けを図５に基づいて説明する。
前記縦塞ぎ部材７０は、見込み方向に向かう基板７３と左右方向に向かう外向板７４で鉤形状の本体を有し、その基板７３の室外側端に外向片７５を有すると共に、外向板７４の左右中間には室外側に向かう鉤片７６を有し、それらで取付部７０ａとしてある。この外向板７４の外部に前述の縦水密材７１が装着してあり、その外向板７４が横向き部７０ｂである。
そして、外向片７５が新設縦枠４０の内向板４３に沿って左右方向にスライド可能で、縦塞ぎ部材７０の取付部７０ａは新設縦枠４０の被取付部に沿って左右方向にスライド可能である。
前述のように、外向片７５を内向板４３に沿って左右方にスライドすることで、外向片７５の端部が突片４２に当接すると共に、鉤片７６が新設縦枠４０の内向片４４に係止して縦塞ぎ部材７０が左右方及び見込み方向（室内外側方向）に動かないように仮取付けできる。
【００４０】
これによって、外向板７４が既設縦枠６の室内側縦板６ｅと左右方向に重なり合い、縦水密材７１が室内側内向板６ｅの室外側面に接する。
この状態で、基板７３をビスなどの固着具７２で新設縦枠４０の本体４１の室内側部分に固着して取付ける。
【００４１】
このようであるから、既設枠３内に新設枠１０を取付けた後に、縦塞ぎ部材７０を室内側から簡単に取付けできる。
【００４２】
前記既設上枠４の室内側部４ａと新設上枠２０の室内側部２０ａとの間の隙間Ｓの大きさと、既設縦枠６の室内側部６ａと新設縦枠４０の室内側部４０ａとの間の隙間Ｓの大きさは同一である。
そして、前記新設上枠２０の被取付部と新設縦枠４０の被取付部の形状が同一である。
これによって、上塞ぎ部材５０と縦塞ぎ部材７０を同一形状としてある。
【００４３】
次に、既設サッシを新設サッシに改装する方法を説明する。
図６と図７に示すように、既設サッシの既設枠３以外を取り外して既設枠３を建物躯体１の開口部２に残存させる。
この既設枠３の既設上枠４、既設下枠５、既設縦枠６に、上下地材７、下下地材８、縦下地材９をそれぞれ取付ける。
新設上枠２０と新設下枠３０と新設縦枠４０を方形状に枠組みした新設枠１０を、図６、図７に矢印で示すように前記既設枠３の室外側から室内側に向けて移動して既設枠３内に挿入し、図８、図９に示すように新設下枠３０を下下地材８に載置して新設枠１０を既設枠３で支持すると共に、新設下枠３０の室内側部３０ａを下下地材８に接する。
【００４４】
そして、新設枠１０を既設枠３に対して見込み方向に位置決めして前述の隙間Ｓを設定した大きさとする。
つまり、前述のように新設下枠３０の室内側部３０ａが下下地材８に接することで新設下枠３０は見込み方向に位置決めすることが可能であるが、それでは見込み方向の位置決めが不十分、特に新設上枠２０、新設縦枠４０の位置決めが不十分なことがあるので、新設上枠２０、新設縦枠４０を位置決めする。
例えば、図８、図９に示すように、既設上枠４の室内側部４ａと新設上枠２０の室内側部２０ａとの間に上スペーサ部材１２を設けると共に、既設縦枠６の室内側部６ａと新設縦枠４０の室内側部４０ａとの間に縦スペーサ部材１３を設ける。
そして、新設上枠２０の室内側部２０ａと既設上枠４の室内側部４ａとの間の隙間Ｓを、前述の上スペーサ部材１２で所定の大きさとし、新設縦枠４０の室内側部４０ａと既設縦枠４の室内側部４ａとの間の隙間Ｓを、前述の縦スペーサ部材１３で所定の大きさとする。
【００４５】
この後に、新設上枠２０、新設下枠３０、新設縦枠４０から固着具２９，３３，４５を上下地材７、下下地材８、縦下地材９に螺合して新設枠１０を既設枠３内に取付ける。
【００４６】
そして、図８、図９に示す上スペーサ部材１２、縦スペーサ部材１３を取り外し、その後に、上塞ぎ部材５０、下塞ぎ部材６０、縦塞ぎ部材７０を既設枠３の室内側から図１、図２に示すように取付ける。
最後に、新設枠１０内に障子１１を装着して新設サッシとする。
【００４７】
次に、本発明の第２の実施の形態を図１０、図１１に基づいて説明する。
この実施の形態は、上横シール材２８と縦シール材４７を見込み方向に位置をずらして装着できるようにしたことが第１の実施の形態と相違し、他の構成は第１の実施の形態と同様である。
図１０に示すように、新設上枠２０の外面２０ｃにおける前記凹条溝２７よりも室外側部分を平坦面とし、その部分にシール材装着用の上横アタッチメント８０を取付け、この上横アタッチメント８０に前述の上横シール材２８を装着する。
この上横シール材２８のシール部２８ｂを既設上枠４の室外側部４ｃ（室外側縦板４ｇの室外側面）に接する。
【００４８】
図１１に示すように、新設縦枠４０の外面４０ｃにおける前記凹条溝４６よりも室外側寄りを平坦面とし、その部分に、シール材装着用の縦アタッチメントと８１を取付け、この縦アタッチメント８１に前述の縦シール材４７を装着する。
この縦シール材４７のシール部４７ｂを既設縦枠６の室外側部６ｃ（室外側内向板６ｇの室外側面）に接する。
【００４９】
このようであるから、既設枠３の見込み寸法が大きいときには凹条溝２７，４６から上横シール材２８、縦シール材４７を取り外し、上横アタッチメント８０、縦アタッチメント８１を取付けることで、新設上枠２０と既設上枠４の室外側部４ｃとの間を水密できると共に、新設縦枠４０と既設縦枠６の室外側部６ｃとの間を水密できる。
【００５０】
また、既設枠３の見込み寸法が小さいときには上横アタッチメント８０、縦アタッチメント８１を取り外し、各凹条溝２７，４６に上横シール材２８、縦シール材４７をそれぞれ装着する。
そして、図１、図２に示すように上横シール材２８を既設上枠４の室外側部４ｃに接し、縦シール材４７を既設縦枠６の室外側部６ｃに接する。
【００５１】
このようであるから、見込み寸法の大きな既設枠、見込み寸法の小さな既設枠に共通の新設枠１０を取付けたときに、既設上枠４の室外側部４ｃと新設上枠２０との間、既設縦枠６の室外側部６ｃと新設縦枠４０との間を水密することができる。
【００５２】
なお、前記上横アタッチメント８０、縦アタッチメント８１を見込み方向に位置をずらして取付けできるようにしても良い。
【００５３】
次に本発明の第３の実施の形態を図１２、図１３に基づいて説明する。
図１２に示すように、前記上塞ぎ部材５０は板状の取付部５０ａと板状の下向き部５０ｃで鉤形状で、その取付部５０ａの室内側端に上向きの凹条溝５７が形成してある。
この凹条溝５７に前記上横水密材５１を上向きに装着してある。
前記取付部５０ａが新設上枠２０の本体２１の上面にビス等の固着具５２で取付けられ、前記下向き部５０ｃは既設縦枠４の室内側縦板４ｅ（室内側部４ａ）と見込み方向に同一位置で、かつ下方に位置して上塞ぎ部材５０は既設縦枠４の室内側取付片４ｂよりも室外側に位置し、その室内側取付片４ｂが露出している。
前記上横水密材５１が既設上枠４の室内側縦板４ｅの下端面（室内側部）に接して水密している。
前記下向き部５０ｃが新設上枠２０のレール２２（つまり、障子１１）と対向して新設上枠２０の室内側縦板を兼用している。
【００５４】
このようにすれば、室内側から見たときに、上塞ぎ部材５０は新設上枠２０の一部分のように見えると共に、上横水密材５１が見えるだけであるから、新設サッシの上部が著しくスッキリとした内観である。
【００５５】
図１３に示すように、前記縦塞ぎ部材７０は見込み方向に向かう板状の取付部７０ａと、左右方向に向かうと共に、取付部７０ａよりも内方に向かう板状の内向き部７０ｃで鉤形状で、その取付部７０ａの室内側端に外向きの凹条溝７６が形成してある。
この凹条溝７６に前記縦水密材７１が外向きに装着してある。
前記取付部７０ａが新設縦枠４０の本体４１の外面にビス等の固着具７２で取付けてある。
前記内向き部７０ｃは既設縦枠６の室内側内向板６ｅ（室内側部６ａ）と見込み方向に同一位置で、かつ内方に位置して縦塞ぎ部材７０は既設縦枠６の室内側取付片６ｂよりも室外側に位置し、その室内側取付片６ｂが露出している。
前記縦水密材７１が既設縦枠６の室内側内向板６ｅの内端面（室内側部）に接して水密している。
前記横向き部７０ｃが新設サッシの障子１１と対向し、この横向き部７０ｃは新設上枠２０の室内側内向板を兼用している。
【００５６】
このようにすれば、室内側から見たときに、縦塞ぎ部材７０は新設縦枠４０の一部分のように見えると共に、縦水密材７１が見えるだけであるから、新設サッシの縦部が著しくスッキリとした内観である。
【００５７】
この実施の形態では、図１２に示すように、下下地材８は既設下枠５の室内寄りのレール５ｆに固着具３４で固着して取付け、室外寄りのレール５ｆは除去してある。
【００５８】
次に、本発明の第４の実施の形態を図１４、図１５に基づいて説明する。
この実施の形態は、上横水密材５１、縦水密材７１を上塞ぎ部材５０、縦塞ぎ部材７０とは別とし、上塞ぎ部材５０、縦塞ぎ部材７０を取付けた後に、上横水密材５１、縦水密材７１を取付けるようにしたことが第３の実施の形態と相違し、他の実施の形態は第３の実施の形態と同様である。
図１４に示すように、上塞ぎ部材５０は板状の取付部５０ａと板状の下向き部５０ｃで鉤形状で、その取付部５０ａの上面は平坦面である。
前記取付部５０ａの上面と既設上枠４の室内側縦板４ｅの下端面との間に隙間Ｓがある。
前記上横水密材５１は、前記隙間Ｓに室内側から押し込んで取付ける。
【００５９】
図１５に示すように、縦塞ぎ部材７０は板状の取付部７０ａと板状の内向き部７０ｃで鉤形状で、その取付部７０ａの外面は平坦面である。
前記取付部７０ａの外面と既設縦枠６の室内側内向板６ｅの内端面との間に隙間Ｓがある。
前記縦水密材７１は、前記隙間Ｓに室内側から押し込んで取付ける。
【００６０】
このようにすることで、上塞ぎ部材５０、縦塞ぎ部材７０を取付けたままの状態で、上横水密材５１、縦水密材７１を外したり、取付けたりできるから、その上横水密材５１、縦水密材７１を簡単に交換できる。
【図面の簡単な説明】
【００６１】
【図１】本発明の第１の実施の形態を示す改装サッシの縦断面図である。
【図２】本発明の第１の実施の形態を示す改装サッシの横断面図である。
【図３】改装サッシの上部拡大断面図である。
【図４】改装サッシの下部拡大断面図である。
【図５】改装サッシの縦部拡大断面図である。
【図６】改装サッシの第１の改装工程を示す縦断面図である。
【図７】改装サッシの第１の改装工程を示す横断面図である。
【図８】改装サッシの第２の改装工程を示す縦断面図である。
【図９】改装サッシの第２の改装工程を示す横断面図である。
【図１０】本発明の第２の実施の形態を示す改装サッシの縦断面図である。
【図１１】本発明の第２の実施の形態を示す改装サッシの横断面図である。
【図１２】本発明の第３の実施の形態を示す改装サッシの縦断面図である。
【図１３】本発明の第３の実施の形態を示す改装サッシの横断面図である。
【図１４】本発明の第４の実施の形態を示す改装サッシの縦断面図である。
【図１５】本発明の第４の実施の形態を示す改装サッシの横断面図である。
【符号の説明】
【００６２】
１…建物躯体、２…開口部、３…既設枠、４…既設上枠、４ａ…室内側部、４ｂ…室内側取付片、４ｃ…室外側部、４ｅ…室内側縦板、５…既設下枠、５ａ…室内側部、５ｂ…室内側取付片、５ｃ…室外側部、６…既設縦枠、６ａ…室内側部、６ｂ…室内側取付片、６ｃ…室外側部、６ｅ…室内側内向板、１０…新設枠、１１…障子、２０…新設上枠、２０ａ…室内側部、２０ｂ…室外側部、２０ｃ…外面、２７…凹条溝、２８…上横シール材、３０…新設下枠、３０ａ…室内側部、３０ｂ…室外側部、４０…新設縦枠、４０ａ…室内側部、４０ｂ…室外側部、４０ｃ…外面、４６…凹条溝、４７…縦シール材、５０…上塞ぎ部材、５０ａ…取付部、５０ｂ…立上り部、５０ｃ…下向き部、５１…上横水密材、６０…下塞ぎ部材、７０…縦塞ぎ部材、７０ａ…取付部、７０ｂ…横向き部、７０ｃ…内向き部、７１…縦水密材、８０…上横アタッチメント、８１…縦アタッチメント。
【図１】
2010174560.tif 000003
【図２】
2010174560.tif 000004
【図３】
2010174560.tif 000005
【図４】
2010174560.tif 000006
【図５】
2010174560.tif 000007
【図６】
2010174560.tif 000008
【図７】
2010174560.tif 000009
【図８】
2010174560.tif 000010
【図９】
2010174560.tif 000011
【図１０】
2010174560.tif 000012
【図１１】
2010174560.tif 000013
【図１２】
2010174560.tif 000014
【図１３】
2010174560.tif 000015
【図１４】
2010174560.tif 000016
【図１５】
2010174560.tif 000017